(57)【要約】【課題】本発明は、ユーザの保存したい番組を確実に保存できるようにする。【解決手段】ハードディスクレコーダ１のＣＰＵ２は、ユーザによって入力されたキーワード等の検索条件に基づいてＥＰＧ情報を検索し、検索条件に合致した条件合致番組を自動的に録画する自動キーワード録画処理において、当該検索条件に応じた条件合致番組を自動消去の対象にするか否かを、当該検索条件の指定の際にユーザに選定させるようにする。【選択図】図２
2007201819.tif 000002
【特許請求の範囲】
【請求項１】
自動的に配信されるコンテンツの検索条件をユーザに指定させる検索条件指定部と、
上記検索条件に基づいて、上記コンテンツの配信予定を表す情報から上記検索条件に合致する条件合致コンテンツを検索する検索部と、
上記条件合致コンテンツを記録部に自動記録する自動記録処理部と、
上記条件合致コンテンツを自動記録する際、上記記録部の記録可能容量が不足する場合には、上記記録部に既に記録されている記録済コンテンツの中から自動消去処理の対象となる上記記録済コンテンツを自動的に消去する自動消去処理部と
を具え、
上記検索条件指定部は、
上記検索条件を指定させる際、上記検索条件毎に上記条件合致コンテンツを上記自動消去処理の対象とするか否かをユーザに選定させる
ことを特徴とするコンテンツ記録装置。
【請求項２】
上記自動消去処理部は、
上記自動消去処理の対象となる上記記録済コンテンツを消去することにより、上記条件合致コンテンツを自動記録するための記録可能容量を確保できると算定した場合にのみ、上記自動消去処理の対象となる上記記録済コンテンツを消去する
ことを特徴とする請求項１に記載のコンテンツ記録装置。
【請求項３】
上記検索条件指定部は、
上記自動消去処理の対象としない上記条件合致コンテンツのデータ量が所定の制限データ量以上になる可能性がある場合には、ユーザに対して通知する
ことを特徴とする請求項１に記載のコンテンツ記録装置。
【請求項４】
自動的に配信されるコンテンツの検索条件をユーザに指定させると共に、上記検索条件毎に条件合致コンテンツを上記自動消去処理の対象とするか否かをユーザに選定させる検索条件指定ステップと、
上記検索条件に基づいて、上記コンテンツの配信予定を表す情報から上記検索条件に合致する条件合致コンテンツを検索する検索ステップと、
上記条件合致コンテンツを記録部に自動記録する自動記録処理ステップと、
上記条件合致コンテンツを自動記録する際、上記記録部の記録可能容量が不足する場合には、上記記録部に既に記録されている記録済コンテンツの中から、自動消去処理の対象となる上記記録済コンテンツを自動的に消去する自動消去処理ステップと
を具えることを特徴とするコンテンツ記録方法。
【請求項５】
コンピュータに対して、
自動的に配信されるコンテンツの検索条件をユーザに指定させると共に、上記検索条件毎に条件合致コンテンツを上記自動消去処理の対象とするか否かをユーザに選定させる検索条件指定ステップと、
上記検索条件に基づいて、上記コンテンツの配信予定を表す情報から上記検索条件に合致する条件合致コンテンツを検索する検索ステップと、
上記条件合致コンテンツを記録部に自動記録する自動記録処理ステップと、
上記条件合致コンテンツを自動記録する際、上記記録部の記録可能容量が不足する場合には、上記記録部に既に記録されている記録済コンテンツの中から、自動消去処理の対象となる上記記録済コンテンツを自動的に消去する自動消去処理ステップと
を実行させるコンテンツ記録プログラム。
【発明の詳細な説明】
【技術分野】
【０００１】
本発明は、コンテンツ記録装置、コンテンツ記録方法及びコンテンツ記録プログラムに関し、例えばハードディスクレコーダに適用して好適なものである。
【背景技術】
【０００２】
従来、ハードディスクレコーダにおいては、地上波ディジタル放送のテレビジョン放送番組を受信してハードディスクドライブに録画するようになされたものが普及しつつある。このハードディスクレコーダは、この地上波ディジタル放送で配信される放送信号からテレビジョン放送番組の配信予定を表すＥＰＧ（Electric Program Guide）情報を取得すると共に、このＥＰＧ情報に基づいてユーザに選択されたテレビジョン放送番組をハードディスクドライブに録画するようになされている。
【０００３】
さらにハードディスクレコーダの中には、指定されたテレビジョン放送番組を録画するだけでなく、ユーザにキーワードを指定させ、このキーワードを含むテレビジョン放送番組を検索し、録画するようになされたものがある。
【０００４】
このハードディスクレコーダは、ユーザによって指定されたキーワードに基づいてＥＰＧ情報からテレビジョン放送番組を選択し、図９（Ａ）に示すように、録画予定のテレビジョン放送番組（以下、これを録画予定番組と呼ぶ）の一覧表である録画予定リストＰＬｌを作成すると共に、当該録画予定リストＰＬｌに従って当該録画予定番組を自動的に録画する自動キーワード録画処理を実行するようになされている。
【０００５】
このようなハードディスクレコーダにおいては、既に録画されたテレビジョン放送番組（以下、これを録画済番組と呼ぶ）によってハードディスクドライブの記録可能容量が不足すると、図９（Ｂ）に示すように、録画済番組を管理する録画済番組リストＲＬｌにおける録画順序に従って、古い録画済番組（図９（Ｂ）では録画順序１〜２）から自動的に消去することにより、次に録画する録画予定番組（図９（Ａ）では録画予定順序１〜２）のための記録可能容量を確保するようになされたものがある（例えば、特許文献１参照）。
【特許文献１】特開２００４−８６２８８公報
【発明の開示】
【発明が解決しようとする課題】
【０００６】
ところでかかる構成のハードディスクレコーダでは、ユーザが特定のテレビジョン放送番組を長期的に保存したい場合には、当該テレビジョン放送番組の録画前若しくは録画後に、上述した録画予定リストＰＬｌ又は録画済番組リストＲＬｌをユーザに確認させ、ユーザが保存したいテレビジョン放送番組に対して、自動的に消去されることを防止する自動消去プロテクトを逐次設定させるものがある。
【０００７】
従って、このハードディスクレコーダでは、既に録画され、録画済番組リストＲＬｌに表示されている録画済番組と、具体的に録画予約されることが確定し、録画予定リストＰＬｌに表示されている録画予定番組についてはユーザに自動消去プロテクトを設定させ得るため、ユーザが保存したいテレビジョン放送番組を自動消去することなく確実に保存することができる。
【０００８】
ところで、地上波ディジタル放送では、１週間先までのテレビジョン放送番組のＥＰＧ情報を配信するようになされている。このためハードディスクレコーダは、この１週間分のＥＰＧ情報を取得すると共に、当該ＥＰＧ情報に基づいて、１週間分の録画予定リストＰＬｌしか作成することができない。
【０００９】
すなわちハードディスクレコーダは、１週間後までに放送されるテレビジョン放送番組に関してはユーザに自動消去プロテクトを設定させることができるものの、１週間より先に放送されるテレビジョン放送番組については録画予約を確定できないため、ユーザに自動消去プロテクトを設定させることができない。
【００１０】
従って、ハードディスクレコーダは、例えば１週間以上などの長期間に渡って放置された場合、ユーザが最後に自動消去プロテクトの設定を行ってから１週間後以降に録画された番組については、いずれの録画済番組にも自動消去プロテクトの設定を行わないこととなり、ユーザの意図に拘らず、全ての録画済番組が録画順序に従って自動的に消去されてしまい、ユーザの保存したい番組を保存することができないという問題があった。
【００１１】
本発明は以上の点を考慮してなされたもので、ユーザの保存したいテレビジョン放送番組を確実に保存するコンテンツ記録装置、コンテンツ記録方法及びコンテンツ記録プログラムを提案しようとするものである。
【課題を解決するための手段】
【００１２】
かかる課題を解決するため本発明においては、自動的に配信されるコンテンツの検索条件をユーザに指定させ、検索条件に基づいて、コンテンツの配信予定を表す情報から検索条件に合致する条件合致コンテンツを検索し、条件合致コンテンツを記録部に自動記録し、記録部に条件合致コンテンツを自動記録する記録可能容量が不足する場合には、記録部に既に記録されている記録済コンテンツの中から、自動消去処理の対象となる記録済コンテンツを自動的に消去し、検索条件を指定させる際、検索条件毎に条件合致コンテンツを自動消去処理の対象とするか否かをユーザに選定させるようにした。
【００１３】
これにより、録画予定リストや録画済番組リストを逐次ユーザに確認させることなく、自動消去処理の対象としないように選定された検索条件に合致し、記録された記録済コンテンツを自動消去処理の対象から除外することができる。
【発明の効果】
【００１４】
本発明によれば、録画予定リストや録画済番組リストを逐次ユーザに確認させることなく、自動消去処理の対象としないように選定された検索条件に合致し、記録された記録済コンテンツを自動消去処理の対象から除外することができ、かくしてユーザの保存したいコンテンツを確実に保存できるコンテンツ記録装置、コンテンツ記録方法及びコンテンツ記録プログラムを実現できる。
【発明を実施するための最良の形態】
【００１５】
以下、図面について、本発明の一実施の形態を詳述する。
【００１６】
（１）ハードディスクレコーダの全体構成
図１において１は、全体としてハードディスクレコーダを示し、地上波ディジタル放送のテレビジョン放送番組を受信して録画し得るようになされている。さらにハードディスクレコーダ１は、当該テレビジョン放送番組と同時に配信されるＥＰＧ（Electric Program Guide）情報に基づいてユーザに録画するテレビジョン放送番組を指定させると共に、指定された当該テレビジョン放送番組を録画し得るようになされている。
【００１７】
このハードディスクレコーダ１では、全体を統括的に制御するＣＰＵ（Central Processing Unit ）２が、ＲＯＭ（Read Only Memory）３又はハードディスクドライブ４に格納されている基本プログラムや自動キーワード録画プログラム等をメインメモリ６に展開することによって、当該基本プログラムや当該自動キーワード録画プログラム等に基づいて各種処理や後述する検索条件指定処理及び自動キーワード録画処理を実行するようになされている。
【００１８】
また、フラッシュメモリ７にはハードディスクドライブ４に録画されたテレビジョン放送番組（以下、これを録画済番組と呼ぶ）の一覧表である録画済番組リストＲＬや、録画する予定のテレビジョン放送番組（以下、これを録画予定番組と呼ぶ）の一覧表である録画予定リストＰＰＬ等の各種リスト、検索条件指定処理の際に使用される設定画像データ等が記録されている。
【００１９】
このハードディスクレコーダ１は、外部のリモートコントローラ３０の操作によりユーザから各種要求がなされると、このリモートコントローラ３０によって生成された操作信号をリモートコントローラインターフェース２１により取得し、これをＣＰＵ２へ供給するようになされている。
【００２０】
例えば、ＣＰＵ２は、ユーザから所望チャンネルのテレビジョン放送番組を視聴する旨の視聴要求がなされたことにより、リモートコントローラインターフェース２１から操作信号が供給されると、テレビジョン放送番組の視聴処理を実行する。
【００２１】
すなわち、ＣＰＵ２は、この視聴要求に応じてチューナ１１によって選局された周波数帯域のディジタル放送信号を受信し、当該ディジタル放送信号を復調器１２へ送出する。
【００２２】
続いてＣＰＵ２は、このディジタル放送信号を復調器１２によって復調し、この復調されたディジタル放送信号のスクランブルをデスクランブラ１３によって解除し、このスクランブルを解除されたディジタル放送信号を多重分離器１４によって映像データ、音声データ及びＥＰＧ情報のパケットに分離すると、この映像データを映像デコーダ１５へ、音声データを音声デコーダ１６へ送出すると共に、ＥＰＧ情報をフラッシュメモリ７に記録する。
【００２３】
ＣＰＵ２は、映像データを映像デコーダ１５によって所定の復号方式に従って復号し、この復号された映像データに対して映像信号処理回路１７によって映像信号への変換処理やミキシング処理等を実行し、映像出力端子２３へ送出する。この結果、ＣＰＵ２は、この映像データに基づく映像を映像出力端子２３に接続された図示しない表示装置に表示させる。
【００２４】
またＣＰＵ２は、音声データを音声デコーダ１６によって所定の復号方式に従って復号し、この復号された音声データをディジタルアナログ変換器１８によってアナログ信号へ変換し、音声出力端子２４へ送出する。この結果、ＣＰＵ２は、音声出力端子２４に接続された図示しないスピーカからこの音声データに基づく音声を出力させる。
【００２５】
一方で、ＣＰＵ２は、ユーザのリモートコントローラ３０を介した操作により、テレビジョン放送番組の番組一覧表を表示する旨の表示要求がなされると、フラッシュメモリ７からＥＰＧ情報を読み出し、映像デコーダ１５へ送出する。この結果、ＣＰＵ２は、映像データのときと同様の処理によってこのＥＰＧ情報に基づく番組一覧表を表示装置に表示させる。ＣＰＵ２は、この番組一覧表に基づいてユーザに録画したい番組を選定させ得るようになされている。
【００２６】
ところで、ＣＰＵ２は、ユーザのリモートコントローラ３０を介した操作により、テレビジョン放送番組を録画する旨の録画要求がなされた場合には、テレビジョン放送番組の録画処理を実行する。
【００２７】
すなわち、ＣＰＵ２は、テレビジョン放送番組の視聴処理のときと同様にディジタル放送信号の受信、復調等の各処理を経て多重分離器１４によって分離された映像データ及び音声データを録画済番組としてハードディスクドライブ４に記録する。さらにＣＰＵ２は、録画日時、録画済番組のタイトル等の録画情報及びハードディスクドライブ４における当該録画済番組のアドレス情報をフラッシュメモリ７に記録されている録画済番組リストＲＬに追加する。
【００２８】
また、ＣＰＵ２は、ユーザのリモートコントローラ３０を介した操作により、録画済番組を消去する旨の消去要求がなされた場合には、録画済番組の消去処理を実行する。
【００２９】
すなわち、ＣＰＵ２は、消去するように指定された録画済番組のアドレス情報をフラッシュメモリ７に記録されている録画済番組リストＲＬから読み出し、当該アドレス情報に基づいて指定された録画済番組をハードディスクドライブ４から消去し、さらに録画済番組に関する録画情報及びアドレス情報を当該録画済番組リストＲＬから消去する。
【００３０】
また、ＣＰＵ２は、内部時計２５を基準として上述した録画情報における録画日時を決定し、さらにはこの内部時計２５を基準として予約録画処理を開始する際に待機状態にあるハードディスクレコーダ１を起動状態に遷移したり、予約録画処理を終了する際に起動状態にあるハードディスクレコーダ１を待機状態に遷移するようになされている。
【００３１】
（２）自動キーワード録画処理における機能構成
さらにこのハードディスクレコーダ１は、ユーザによって指定されたキーワードに基づいて録画するテレビジョン放送番組を選択し、自動的に録画する自動キーワード録画処理を実行するようになされている。この自動キーワード処理における機能を分類した機能構成を図２に示す。
【００３２】
フラッシュメモリ７は、検索条件の一覧である検索条件リストＫＬと、ディジタル放送信号から取得したＥＰＧ情報と、録画予定番組リストＰＰＬと、録画済番組リストＲＬとを記録するようになされている。
【００３３】
ＣＰＵ２の検索条件指定部２Ａは、ユーザにキーワード等の検索条件を指定させ、検索条件リストＫＬを更新する。ＣＰＵ２の検索部２Ｂは、この検索条件リストＫＬに基づいて検索条件に合致するテレビジョン放送番組をＥＰＧ情報から検索し、録画予定番組リストＰＰＬを作成する。
【００３４】
そしてＣＰＵ２の自動記録処理部２Ｃは、この録画予定番組リストＰＰＬに基づいて録画予定番組をハードディスクドライブ４に自動録画すると共に、録画済番組リストＲＬを更新する。ＣＰＵ２の自動消去処理部２Ｄは、この自動録画のときにハードディスクドライブ４の記録可能容量が不足する場合、録画済番組リストＲＬから録画順序の古い録画済番組を選択し、この録画済番組を自動的に消去するようになされている。このとき、自動消去処理部２Ｄは、上述したように、自動消去プロテクトが設定されている録画済番組については、録画順序に拘らず消去しないようになされている。
【００３５】
（３）検索条件指定処理における自動消去プロテクトの選定
次に、かかる自動キーワード録画処理における検索条件指定処理について説明する。
【００３６】
ハードディスクレコーダ１のＣＰＵ２は、ユーザによって自動キーワード録画における検索条件を指定する旨の要求がなされると、図３に示すように、フラッシュメモリ７から読み出された設定画像データに基づいてキーワード入力画面４０を表示装置に表示させる。
【００３７】
このキーワード入力画面４０は、検索条件入力エリアＥＴと、確認ボタンＳＢ１とから構成されている。さらにこの検索条件入力エリアＥＴは、自動キーワード録画処理の検索条件を指定する基本設定欄ＥＴａと、基本設定欄ＥＴａで入力されたキーワードを絞り込む絞込欄ＥＴｂと、後述する自動消去プロテクトの設定の有無を選定する自動消去プロテクト設定欄ＥＴｃとからなる。
【００３８】
基本設定欄ＥＴａは、ユーザにキーワードを入力させると共に、当該キーワードを検索する範囲やテレビジョン放送番組のジャンルなどをプルダウン方式によって選択させるようになされている。ちなみに図３では、「すべて」の時間帯を対象とし、「アニメ・特撮」ジャンルであり、且つテレビジョン放送番組の「タイトル」内にキーワードである「不味しんぼ」が含まれている「再放送を含む」テレビジョン放送番組が検索条件として指定されている。
【００３９】
絞込設定欄ＥＴｂは、基本設定欄ＥＴａにおいて指定された検索条件をさらに限定する限定条件となる絞込キーワードをユーザに入力させると共に、当該絞込キーワードが検索される際の絞込条件をプルダウン方式によってユーザに選択させるようになされている。また、この絞込設定欄ＥＴｂは、ユーザの任意入力とされており、絞込キーワードが入力されていない場合には、基本設定欄ＥＴａにおいて指定された検索条件を限定することはない。
【００４０】
ちなみに図３では、「番組解説」に絞込キーワードである「ダイジェスト」を「含まない」ように指定されており、「番組解説」に「ダイジェスト」を含むテレビジョン放送番組を録画しないように指定されている。なお、検索条件として「含まない」ではなく「含む」と設定することで、「番組解説」に「ダイジェスト」を含むテレビジョン放送番組のみを録画するように指定することもできる。
【００４１】
自動消去プロテクト設定欄ＥＴｃは、上述した基本設定欄ＥＴａ及び絞込設定欄ＥＴｂによって指定された検索条件に合致し、自動的に録画された録画済番組に対する自動消去プロテクトの設定の有無をプルダウン方式によってユーザに選択させるようになされている。ここで設定「する」に指定されると、この検索条件が確定される際、この検索条件に応じた録画済番組が自動消去処理の対象から除外されることを表す消去除外キーが設定される。これに対して、設定「しない」に指定された場合、この検索条件に応じた録画済番組は消去除外キーが設定されず、自動消去処理において自動的に消去されることは無い。
【００４２】
すなわちＣＰＵ２は、どのテレビジョン放送番組が録画予定番組となるか具体的に判別していなくても、検索条件を指定する時点で、検索条件に合致し、録画される録画済番組を予め自動消去処理の対象外に設定しておくことができる。
【００４３】
この自動消去プロテクト設定欄ＥＴｃでは、キーワード入力画面４０が表示された時点で、予め自動消去プロテクトを設定「しない」に指定されており、ユーザが敢えてこの欄を設定「する」に変更しない限り、この検索条件に応じた録画済番組は自動消去処理の対象となる。これにより、ＣＰＵ２は、ユーザが気付かないうちに自動消去処理の対象とならない録画済番組が増大してしまうことを防止し得るようになされている。
【００４４】
そして、ユーザの確認ボタンＳＢ１に対するクリック操作により、上述した検索条件の指定内容を確認した旨の意思表示がユーザによってなされた場合、ＣＰＵ２は、この検索条件を確定すると共に、過去に指定された検索条件に対してこのクリック操作によって新たに加えられた検索条件を加えることにより、検索条件リストＫＬ（図２）を更新する。
【００４５】
そしてＣＰＵ２は、図４に示すように、設定画像データに基づいた検索条件一覧画面４１を表示装置に表示させる。この検索条件一覧画面４１は、更新された検索条件リストＫＬと、確認ボタンＳＢ２とによって構成されている。
【００４６】
このときＣＰＵ２は、上述した検索条件入力エリアＥＴ（図３）において指定された直後の検索条件（キーワード「不味しんぼ」）に対して、録画予定番組が同時間帯に複数重なった場合の録画優先順位を１位とする（図４）と共に、更新前から存在した検索条件の録画優先順位を更新前の検索条件リストＫＬより一位ずつ繰り下げて並べることにより、録画優先順位に従って最大１０個の検索条件を表示するようになされている。
【００４７】
ちなみにＣＰＵ２は、更新前の検索条件リストＫＬに既に１０個の検索条件が存在していた場合、更新前に録画優先順位１０位であった検索条件を自動的に削除する。これにより、ＣＰＵ２は、検索条件を常に１０個以下に限定し、検索条件が多くなりすぎて検索時間が長くなりすぎてしまうことを防止し得るようになされている。
【００４８】
この検索条件リストＫＬは、検索条件入力エリアＥＴ（図３）で指定された検索条件を表示する検索条件欄ＫＬａ（図４）に加え、録画優先順位を変更するための優先順位修正欄ＫＬｂと、検索条件修正欄ＫＬｃと、自動消去プロテクト表示欄ＫＬｄとを有している。
【００４９】
優先順位修正欄ＫＬｂは、欄内に表示された上下方向の矢印ボタンを有している。ＣＰＵ２は、ユーザによってこの矢印ボタンがクリックされると、検索条件の録画優先順位を矢印の向きに応じて繰り上げ若しくは繰り下げる。
【００５０】
検索条件修正欄ＫＬｃは、削除ボタン及び変更ボタンを有している。ＣＰＵ２は、ユーザによってこの削除ボタンがクリックされると、該当する検索条件を削除する。また、ＣＰＵ２は、変更ボタンがクリックされると、表示装置にキーワード入力画面４０（図３）を再度表示させ、ユーザに検索条件を再度指定させ得るようになされている。
【００５１】
検索条件リストＫＬ（図４）において消去除外キーが設定された検索条件の自動消去プロテクト表示欄ＫＬｄには、一目で理解できるかぎマークＫＭが表示される。これにより、ＣＰＵ２は、このかぎマークＫＭが表示されている検索条件に合致し、自動的に録画される録画済番組に対して自動消去プロテクトを設定「する」ことが選択されていることをユーザに対して直感的に視認させ得るようになされている。
【００５２】
これにより、ＣＰＵ２は、後にこの検索条件に合致する条件合致番組を検索する際、この消去除外キーを設定された検索条件に応じて検出された条件合致番組に対して自動消去プロテクトを設定し、当該検索条件に合致し、記録された録画済番組を確実に保存し得るようになされている。
【００５３】
そしてユーザの確認ボタンＳＢ２に対するクリック操作により、上述した検索条件リストＫＬの内容を確認した旨の意思表示がユーザによってなされた場合、ＣＰＵ２は、この検索条件リストＫＬに指定された検索条件でＥＰＧ情報を検索し、当該検索条件に合致したテレビジョン放送番組（以下、これを条件合致番組と呼ぶ）のリストである条件合致番組リストＰＬを作成する。
【００５４】
このときＣＰＵ２は、消去除外キーが設定されている検索条件に応じて検出された条件合致番組の全てについて、自動消去プロテクトを自動的に設定する。
【００５５】
ここでＣＰＵ２は、自動消去プロテクトが設定された条件合致番組の数が所定の制限数を超えていた場合には、例えば「所定制限数を超えるテレビジョン放送番組に自動消去プロテクトが設定されています。」のようなアラーム画面（図示せず）を表示装置に表示させる。これにより、ＣＰＵ２は、このまま自動キーワード録画処理を実行した場合、自動消去プロテクトが設定された録画済番組が多くなってしまい、自動消去処理の対象となる録画済番組が過少になり、新たな録画予定番組を録画できなくなってしまう可能性があることをユーザに知らせることができる。
【００５６】
ＣＰＵ２は、アラーム画面を例えば数秒間表示させることによって当該アラーム画面の内容をユーザに認識させると、検索条件一覧画面４１を再度表示し、ユーザに自動消去プロテクトの設定の有無や検索条件等を指定させ直すようになされている。
【００５７】
これに対してＣＰＵ２は、自動消去プロテクトが設定されたテレビジョン放送番組が所定制限数以下であった場合には、図５に示すように、設定画像データに基づいた条件合致番組一覧画面４２を表示装置に表示させる。この条件合致番組一覧画面４２は、作成された条件合致番組リストＰＬと、確認ボタンＳＢ３とによって構成されている。この条件合致番組リストＰＬは、検索条件リストＫＬ（図４）で指定された録画優先順位順に表示されており、当該録画優先順位と、放送日時と、放送局と、テレビジョン放送番組のタイトルと、自動消去プロテクト欄ＰＬａとが表示されている。
【００５８】
この自動消去プロテクト欄ＰＬａにかぎマークＫＭが表示されている場合、このことは、このかぎマークＫＭが表示されている条件合致番組に自動消去プロテクトが設定されていることを表している。ここで、例えばこの自動消去プロテクト欄ＰＬａ内が右クリックされると、プルダウン方式で自動消去プロテクトの設定又は解除を選択できる。
【００５９】
なお、ＣＰＵ２は、この条件合致番組リストＰＬの右側に設けられたスクロールバーＳＣＢを操作してスクロールさせることにより、検索された条件合致番組の表示されていない部分についても表示することができる。
【００６０】
このようにＣＰＵ２は、条件合致番組ごとに自動消去プロテクトの設定の有無をユーザに選択させ得ることにより、検索条件に対して消去除外キーを設定させ、この検索条件に合致した条件合致番組に対して一斉に自動消去プロテクトを設定するだけでなく、条件合致番組リストＰＬに表示された条件合致番組ごとに、ユーザの好みに応じて自動消去プロテクトを設定又は解除させ得る。
【００６１】
そしてユーザの確認ボタンＳＢ２に対するクリック操作により、上述した条件合致番組リストＰＬの内容を確認した旨の意思表示がユーザによってなされた場合、ＣＰＵ２は、この条件合致番組リストＰＬ中の条件合致番組を録画予定番組として確定すると共に、当該条件合致番組リストＰＬを録画予定リストＰＰＬとしてフラッシュメモリ７に記録し、待機状態に遷移する。そしてＣＰＵ２は、この録画予定リストＰＰＬに応じて自動キーワード録画処理を実行するようになされている。
【００６２】
（４）自動キーワード録画処理における録画済番組の自動消去
次に、かかる自動キーワード録画処理について説明する。
【００６３】
待機状態のハードディスクレコーダ１のＣＰＵ２は、上述した録画予定リストＰＰＬにおいて、次に録画される録画予定番組の放送日時の直前（例えば２分前）にハードディスクレコーダ１を起動し、次の録画予定番組を録画するために必要な記録可能時間がハードディスクドライブ４に存在するか否かについて確認する。
【００６４】
例えば図６（Ａ）に示すように、ＣＰＵ２は、録画予定日時の近い順に並べられている録画予定リストＰＰＬ内の録画予定順序「１」の録画予定番組をハードディスクドライブ４に録画する場合、８月１６日金曜日の１９時５８分にハードディスクレコーダ１を起動し、ハードディスクドライブ４の記録可能時間（記録可能容量）を確認する。
【００６５】
ここでハードディスクドライブ４の記録可能時間が３０分間であった場合には、当該記録可能時間が録画予定番組「不味しんぼ」の放送時間である２５分間以上であるため、ＣＰＵ２は、テレビジョン放送番組の冒頭部分を確実に録画するために放送開始時間２０時の１０秒前である１９時５９分５０秒まで待ってから録画処理を開始する。
【００６６】
そしてＣＰＵ２は、放送終了時間になると録画処理を終了し、録画済番組に関する録画日時やタイトルなどの録画情報と、当該録画済番組のアドレス情報とをフラッシュメモリ７に記録されている録画済番組の一覧表である録画済番組リストＲＬに追加すると共に、フラッシュメモリ７に記録されているＥＰＧ情報を最新のものに更新する。
【００６７】
このときＣＰＵ２は、フラッシュメモリ７から録画予定リストＰＰＬを読み出し、録画したばかりの「不味しんぼ」に対して自動消去プロテクトが設定されているか否かについて確認し、設定されていた場合には、録画済リストＲＬに追加した「不味しんぼ」に対して自動消去プロテクトを設定する。
【００６８】
これによりＣＰＵ２は、キーワード入力画面（図３）において指定された検索条件（キーワード「不味しんぼ」）に応じた録画済番組に対して自動消去処理の対象となることを防止する自動消去プロテクトを設定することができ、この検索条件に応じて録画された録画済番組「不味しんぼ」を確実に保存することができる。
【００６９】
また、ＣＰＵ２は、フラッシュメモリ７から検索条件リストＫＬを読み出すと共に、最新のものに更新されたＥＰＧ情報からこの検索条件リストＫＬに基づく条件合致番組を検索し、録画予定リストＰＰＬを更新する。
【００７０】
そしてＣＰＵ２は、ハードディスクレコーダ１を待機状態にし、自動キーワード録画処理を継続する。すなわちＣＰＵ２は、録画予定リストＰＰＬにおいて次に録画することが予定されているテレビジョン放送番組の開始時間の２分前になると再び録画処理を開始する。
【００７１】
例えばＣＰＵ２は、次の録画予定番組を録画する場合（図６（Ａ）では録画予定順序「２」）、「不味しんぼ」のときと同様に放送日時から２分前の８月１６日金曜日の２０時５８分にハードディスクレコーダ１を起動し、ハードディスクドライブ４の記録可能時間を確認する。この場合、録画予定順序「１」の録画処理において３０分間の記録可能時間に対して２５分間の「不味しんぼ」を録画したため、ＣＰＵ２は、現在のハードディスクドライブ４の記録可能時間が５分間であり、このままでは放送時間１６０分間の録画予定番組「菊次郎の行為」を録画することができないことを認識する。
【００７２】
このためＣＰＵ２は、録画予定番組「菊次郎の行為」の録画に必要となる残り１５５分間の記録可能時間を確保するために自動消去処理を実行する。
【００７３】
すなわち、ＣＰＵ２は、録画されているテレビジョン放送番組のリストである録画済番組リストＲＬ（図６（Ｂ））の録画済番組に関する録画情報を確認し、自動消去プロテクトの設定がなされていないため自動消去処理の対象となる録画済番組のトータル録画時間を算出する。なお、図６では、自動消去プロテクトの設定がなされている録画済番組のプロテクト設定欄ＲＬａに「○」（丸印）を附して表示している。
【００７４】
このときＣＰＵ２は、自動消去処理の対象となる録画済番組のトータル録画時間が１５５分間未満の場合、この自動消去処理の対象となる録画済番組をすべて消去したとしても１５５分間の記録可能時間を確保できないため、自動キーワード録画処理を中止し、ハードディスクレコーダ１を待機状態にする。
【００７５】
一方、ＣＰＵ２は、自動消去処理の対象となる録画済番組のトータル録画時間が１５５分間以上である場合には、この録画済番組リストＲＬに基づいて自動消去処理の対象となる録画済番組のうち録画日時の古いものから順次消去することにより１５５分間以上の記録可能時間を確保する。すなわちＣＰＵ２は、自動消去プロテクトの設定された録画順序「１」及び「３」を消去せず、自動消去プロテクトの設定されていない録画順序「２」及び「４」の録画済番組をハードディスクドライブ４から消去すると共に、録画済番組リストＲＬからこれら録画順序「２」及び「４」の録画情報などを消去する。
【００７６】
このようにＣＰＵ２は、ハードディスクドライブ４に録画予定番組の録画に必要とされる録画時間に相当する記録可能時間が確保できることを確認してから録画済番組を消去するようにしたため、録画済番組を消去する場合には予定しているテレビジョン放送番組を最後まで確実に録画し得る。
【００７７】
これによりＣＰＵ２は、録画済番組を一つ消去する毎にトータルの記録可能時間の過不足を確認する方法と比較して、録画済番組を実際に消去してしまったにも拘らず記録可能時間を確保できないといった事態が生じ得ず、せっかく録画しておいた番組を消去してしまった上に、さらに予定していたテレビジョン放送番組が録画できなかったというような最悪の事態を回避できる。
【００７８】
そしてＣＰＵ２は、放送開始時間の１０秒前である２０時５９分５０秒まで待ってから録画処理を開始する。
【００７９】
このようにして、ＣＰＵ２は、検索条件指定処理においてユーザがキーワード等の検索条件を入力する際にこの検索条件に対する自動消去プロテクトの設定の有無を選定させ、自動消去プロテクトの設定が選定された当該検索条件に対して消去除外キーを設定することにより、当該検索条件に応じて検索された全てのテレビジョン放送番組に対して自動的に自動消去プロテクトを設定する。これにより、ＣＰＵ２は、検索条件指定処理を終了した後はユーザに一切の処理をさせることなく、自動消去プロテクトを設定することが選定された検索条件に合致し、記録された録画済番組を自動消去処理の対象とならないようにすることができ、ユーザの保存したいテレビジョン放送番組を確実に保存することができる。
【００８０】
（５）検索条件指定の処理手順
次に、自動キーワード録画プログラムに従って実行される検索条件指定処理手順について図７のフローチャートを用いて説明する。
【００８１】
ハードディスクレコーダ１のＣＰＵ２は、検索条件指定処理手順ＲＴ１を開始すると、次のステップＳＰ１へ移り、ユーザにキーワード等の検索条件及び自動消去プロテクトを設定「する」か「しない」かを指定（図３）させ、表示装置を介してこの結果更新された検索条件リストＫＬ（図４）をユーザに確認させると、次のステップＳＰ２へ進む。
【００８２】
ステップＳＰ２においてＣＰＵ２は、ステップＳＰ１において更新された検索条件リストＫＬに基づいてＥＰＧ情報を検索し、条件合致番組リストＰＬを作成すると、次のステップＳＰ３へ移る。
【００８３】
このときＣＰＵ２は、ステップＳＰ１において自動消去プロテクトを設定「する」と入力され、消去除外キーが設定された検索条件に合致した条件合致番組については、自動消去プロテクトを設定する。
【００８４】
ステップＳＰ３において、ＣＰＵ２は、条件合致番組リストＰＬにおいて、自動消去プロテクトを設定された条件合致番組の数が、所定の制限数以下であるか否かについて判別する。
【００８５】
ここで否定結果が得られた場合、このことはこのまま自動キーワード録画処理を実行すると自動消去処理の対象となる録画済番組が過少となる可能性があることを表しており、このときＣＰＵ２は、ステップＳＰ５へ移り、この旨をユーザに通知するアラームを表示装置に表示すると、次のステップＳＰ１へ戻り、再びユーザにキーワードの入力及び自動消去プロテクトの設定の有無を入力させ直し、処理を継続する。
【００８６】
これに対してステップＳＰ３で肯定結果が得られた場合、このことはこのまま問題なく自動キーワード録画処理を実行できることを表しており、このときＣＰＵ２は、次のステップＳＰ４へ移る。
【００８７】
ステップＳＰ４において、ＣＰＵ２は、条件合致番組リストＰＬを録画予定リストＰＰＬとしてフラッシュメモリ７に記録し、録画予定リストＰＰＬを有効にして自動キーワード録画の設定を終了し、待機状態に移行すると、ステップＳＰ６へ移り、検索条件指定処理手順ＲＴ１を終了し、録画予定番組の放送日時直前まで待機する。
【００８８】
（６）自動キーワード録画の処理手順
次に、自動キーワード録画プログラムに従って実行される自動キーワード録画の処理手順について、図８のフローチャートを用いて説明する。
【００８９】
ハードディスクレコーダ１のＣＰＵ２は、録画予定リストＰＰＬにおいて次に放送される録画予定番組の放送日時直前になると、起動状態へ遷移して自動キーワード録画処理手順ＲＴ２を開始し、次のステップＳＰ１１へ移る。
【００９０】
ステップＳＰ１１において、ＣＰＵ２は、ハードディスクドライブ４に録画予定番組を録画するために必要な記録可能容量が存在するか否かについて判別する。
【００９１】
ここで肯定結果が得られた場合、このことはこのまま録画処理を開始しても録画予定番組を最後まで録画できることを表しており、このときＣＰＵ２は、次のステップＳＰ１４へ移る。
【００９２】
これに対してステップＳＰ１１において、否定結果が得られた場合、このことは録画済番組の一部を消去してハードディスクドライブ４の記録可能容量を増やす必要があることを表しており、このときＣＰＵ２は、次のステップＳＰ１２へ移り、録画済番組の自動消去処理を実行する。
【００９３】
ステップＳＰ１２において、ＣＰＵ２は、録画済番組リストＲＬの内、自動消去プロテクトの設定されていない自動消去処理の対象となる録画済番組のトータル録画時間を確認し、当該自動消去処理の対象となる録画済番組を消去することによって録画予定番組を最後まで録画できるだけの記録可能容量を確保できるか否かについて判別する。
【００９４】
ここで否定結果が得られた場合、ＣＰＵ２は、次のステップＳＰ１６へ移り、自動キーワード録画処理を中止すると、次のステップＳＰ１５へ移る。
【００９５】
これに対してステップＳＰ１２で肯定結果が得られた場合、ＣＰＵ２は、次のステップＳＰ１３へ移り、録画予定番組を最後まで録画できるだけの記録可能容量を確保できるまで自動消去処理の対象となる録画済番組を古いものから順次消去すると、次のステップＳＰ１４へ移る。
【００９６】
ステップＳＰ１４において、ＣＰＵ２は、録画予定番組の放送日時まで待機した後、録画処理を実行し、録画予定番組の録画を終了すると、ステップＳＰ１５へ移る。
【００９７】
ステップＳＰ１５において、ＣＰＵ２は、自動キーワード録画処理手順ＲＴ２を終了し、次に録画を予定している録画予定番組の放送日時の直前まで待機する。
【００９８】
（７）動作及び効果
以上の構成において、ハードディスクレコーダ１のＣＰＵ２は、ユーザによって指定されたキーワード等の検索条件に基づいてコンテンツの配信予定を表す情報であるＥＰＧ情報を検索し、検索条件に合致したコンテンツである条件合致番組を自動的に録画する自動キーワード録画処理において、ユーザに当該検索条件を指定させる際、当該検索条件に対する自動消去プロテクトの設定の有無を選定させ、自動消去プロテクトを設定する検索条件に対して消去除外キーを設定することにより、この検索条件に合致して録画された録画済番組に自動消去プロテクトを設定し、消去対象から除外するようにした。
【００９９】
これにより、ＣＰＵ２は、消去除外キーが設定された検索条件に応じた録画済番組の全てに対して自動消去を防止する自動消去プロテクトを自動的に設定することができ、ユーザに自動消去プロテクトの設定を逐次行わせる必要がないため、ユーザの操作を簡便にすることができる。
【０１００】
さらに、ＣＰＵ２は、検索条件を指定する際に、検索条件に応じた条件合致番組の全てに対して自動消去処理の対象にするか否かをユーザに指定させ、自動消去処理の対象にしないと指定された検索条件に対して消去除外キーを設定するため、例えば複数回に渡って放送されるシリーズものの条件合致番組の全てに対して一律に自動消去プロテクトを設定することができ、ハードディスクレコーダ１が長期間放置された場合であっても、当該シリーズものの条件合致番組に応じた録画済番組の全てを確実に保存し続けることができる。
【０１０１】
また、ＣＰＵ２は、自動消去プロテクトの設定がなされていない自動消去処理の対象となる録画済番組を消去することによって録画予定番組を最後まで録画できるだけの記録可能時間を確保できることを算定した後、実際に録画済番組を消去するようにしたことにより、最後まで録画予定番組を録画できない場合には自動消去処理及び録画処理を実行しないようにした。
【０１０２】
これにより、ＣＰＵ２は、複数の録画予定番組が存在した場合に、優先順位に拘らず最後まで録画できる録画予定番組を優先して録画することができる。
【０１０３】
さらに、ＣＰＵ２は、自動消去処理の対象としない自動消去プロテクトの設定された条件合致番組の数が所定制限数を越えることにより、当該条件合致番組のデータ量が所定の制限データ量以上になる可能性がある場合には、ユーザに対してアラーム画面を表示するようにした。
【０１０４】
すなわちＣＰＵ２は、自動消去プロテクトの設定数を抑制することにより、ユーザの選択による限定されたテレビジョン放送番組のみに対して自動消去プロテクトを設定することができるため、ユーザの保存したいテレビジョン放送番組の優劣を明確にさせ、記録容量が有限であるハードディスクドライブ４を有効に利用して、ユーザが本当に録画したい番組を確実に保存することができる。
【０１０５】
以上の構成によれば、検索条件に対する自動消去プロテクトの設定の有無をユーザに選定させるようにしたことにより、当該検索条件に合致して自動的に録画された録画済番組の全てに対して自動消去プロテクトを自動的に設定することができ、ユーザの保存したい番組を確実に保存することができる。
【０１０６】
（８）他の実施の形態
なお上述の実施の形態においては、自動消去処理の際、録画済番組リストＲＬにおいて自動消去処理の対象となる録画済番組を単に録画順序の古いものから消去するようにした場合について述べたが、本発明はこれに限らず、例えば視聴済みの録画済番組と未視聴の録画済番組を予め分類しておき、視聴し終えた自動消去処理の対象となる録画済番組を優先して消去するようにしても良い。
【０１０７】
また上述の実施の形態においては、録画処理を終了する際に、新しく取得したＥＰＧ情に基づいて新たな録画予定リストＰＰＬに更新するようにした場合について述べたが、本発明はこれに限らず、所定の時間周期でＥＰＧ情報を取得して定期的に録画予定リストＰＰＬを更新するようにしたり、その他種々のタイミングでＥＰＧ情報を取得して録画予定リストＰＰＬを更新するようにしても良い。
【０１０８】
さらに上述の実施の形態においては、自動消去プロテクトの設定された条件合致番組が所定制限数以上になったときにアラーム画面を表示してユーザに通知するようにした場合について述べたが、本発明はこれに限らず、条件合致番組の合計時間が所定制限時間になったときや、条件合致番組の予測データ量が所定データ量以上になったときにアラーム画面を表示するようにしても良い。また、このアラームは表示以外にも、音声やアラーム音などであっても良く、これらを適宜組み合わせるようにしても良い。
【０１０９】
さらに上述の実施の形態においては、自動消去プロテクトの設定がなされていない録画済番組を消去することによって録画予定番組を最後まで録画できるだけの記録可能時間を確保できることを確認した後、実際に録画済番組を消去するようにした場合について述べたが、本発明はこれに限らず、自動消去処理の対象となる録画済番組を全て消去し、録画予定番組を途中まで録画できる分だけ録画するようにしてもよい。
【０１１０】
さらに上述の実施の形態においては、コンテンツとしてディジタル放送のテレビジョン放送番組をハードディスクドライブ４に録画するようにした場合について述べたが、本発明はこれに限らず、アナログ放送のテレビジョン放送番組や、ラジオ番組などの種々のコンテンツをフラッシュメモリやブルーレイディスク（Blu-ray Disc：登録商標）などの各種記憶媒体に記録するようにしても良い。
【０１１１】
さらに上述の実施の形態においては、テレビジョン放送番組と同時に配信されるＥＰＧ情報を使用するようにした場合について述べたが、本発明はこれに限らず、インターネット経由など、他の手法を介してこのＥＰＧ情報を入手するようにしても良い。
【０１１２】
さらに上述の実施の形態においては、自動検索ワードプログラム等をＲＯＭ３又はハードディスクドライブ４に予め格納するようにした場合について述べたが、本発明はこれに限らず、メモリースティック（ソニー株式会社の登録商標）などの外部記憶媒体からフラッシュメモリ７などにインストールするようにしても良い。また、自動検索ワードプログラムなどをＵＳＢ（Universal Serial Bus）やＥｔｈｅｒｎｅｔ（登録商標）（Institute of Electrical and Electronics Engineers）８０２．１１ａ／ｂ／ｇなどの無線ＬＡＮ（Local Area Network）を介して外部から取得し、さらには地上ディジタルテレビジョン放送やＢＳディジタルテレビジョン放送により配信されるようにしても良い。
【０１１３】
さらに上述の実施の形態においては、検索条件指定部２Ａと、検索部２Ｂと、自動記録処理部２Ｃと、自動消去処理部２ＤからなるＣＰＵ２によってコンテンツ記録装置としてのハードディスクレコーダ１を構成するようにした場合について述べたが、本発明はこれに限らず、その他種々の構成でなる検索部と、検索条件指定部と、自動記録処理部と、自動消去処理部とによって本発明のコンテンツ記録装置を構成するようにしても良い。
【産業上の利用可能性】
【０１１４】
本発明は、例えばテレビジョン放送番組を録画するパーソナルコンピュータやハードディスクレコーダ等に利用することができる。
【図面の簡単な説明】
【０１１５】
【図１】ハードディスクレコーダの全体構成を示す略線図である。
【図２】機能構成を示す略線図である。
【図３】キーワード入力画面を示す略線図である。
【図４】検索条件一覧画面を示す略線図である。
【図５】条件合致番組一覧画面を示す略線図である。
【図６】本実施の形態における自動消去処理の説明に供する略線図である。
【図７】検索条件指定処理手順の説明に供するフローチャートである。
【図８】自動キーワード録画処理手順の説明に供するフローチャートである。
【図９】従来の自動消去処理の説明に供する略線図である。
【符号の説明】
【０１１６】
１……ハードディスクレコーダ、２……ＣＰＵ、２Ａ……検索条件指定部、２Ｂ……検索部、２Ｃ……自動記録処理部、２Ｄ……自動消去処理部、４……ハードディスクドライブ、７……フラッシュメモリ。
【図１】
2007201819.tif 000003
【図２】
2007201819.tif 000004
【図３】
2007201819.tif 000005
【図４】
2007201819.tif 000006
【図５】
2007201819.tif 000007
【図６】
2007201819.tif 000008
【図７】
2007201819.tif 000009
【図８】
2007201819.tif 000010
【図９】
2007201819.tif 000011